(57)【要約】【課題】本発明は、リモコン装置の電子部品不良による過電流防止を図ることを目的とする。【解決手段】電極は、電池のマイナス極と弾性接触する円錐巻きの第一電極１８と電池のプラス極と接触する平面巻きの第二電極２０を備え、電池８を少なくとも二つを挿入した状態で対向する第二面１１間に並行した張力を掛けるように配置するとともに、第二面１１のうち一方は、第一電極１８が接触する部分で熱破壊容易な構造を備えた。これにより、電池８に過電流が流れた場合に、第一電極１８と電池８の一端との間に空間が空けられて、電路を確実に遮断することができる。【選択図】図７
2015226332.tif 000002
【特許請求の範囲】
【請求項１】
赤外線発光部を有する回路基板を装着した上ケースと、
前記上ケースと係合して本体を形成する下ケースと、
前記赤外線発光部を覆うフィルターと、
前記回路基板に電力を供給する電池の側面を前記上ケースに沿わせて収納する電池箱を備え、
前記電池箱は、長辺が属する第一面と短辺が属する第二面を有する長方形の枠部を形成して内装する少なくとも二つの電池の電極を前記第二面に接するように並べたリモコン装置であって、
前記電極は、前記電池のマイナス極と弾性接触する円錐巻きの第一電極と前記電池のプラス極と接触する平面巻きの第二電極を備え、
前記電池を少なくとも二つを挿入した状態で対向する前記第二面間に並行した張力を掛けるように配置するとともに、前記第二面のうち一方は、前記第一電極が接触する部分で熱破壊容易な構造を備えたリモコン装置。
【請求項２】
一端側を電池箱の深さ方向に肉薄の溝部を形成して熱破壊容易な構造とする請求項１記載のリモコン装置。
【請求項３】
第二面は、肉薄の溝部に電池のマイナス極と第一電極を配置した請求項１または２に記載のリモコン装置。
【請求項４】
第二面の外側であって、第一電極に対応した位置に上ケースから起立させて形成した保持壁と熱結合させることを特徴とする請求項１から３のいずれか一つに記載のリモコン装置。
【請求項５】
熱破壊構造を有する第二面と保持壁は熱可塑性樹脂で成形したことを特徴とした請求項１から４のいずれか一つに記載のリモコン装置。
【発明の詳細な説明】
【技術分野】
【０００１】
本発明は、電子部品の故障等により、電池箱に装填された電池の過電流を防止する過電流防止機構を用いたリモコン装置に関するものである。
【背景技術】
【０００２】
従来この種、過電流防止機構の構造は、以下のようなものとなっていた。すなわち、電池が取出自在に装填される電池室を備え、その電池室に装填された電池からの供給電力で動作する機構が広く普及しており、カメラ等が挙げられる。
【０００３】
例えばストロボ装置を備えたカメラには、カメラ全体を制御する回路がある。回路に実装された電子部品の不具合により、電池に過電流が流れたものとする。すると、その電池の過電流による熱で保持部材が軟化する。するとバネ部材による弾性力により、保持部材の周縁部が、電池室のエッジ部から速やかに離れ、これに伴い導電部材も電池の＋端子から速やかに離れて過電流が遮断される構成となっていた（たとえば、下記特許文献１）。
【先行技術文献】
【特許文献】
【０００４】
【特許文献１】特開２００２−４２６３４号公報
【発明の概要】
【発明が解決しようとする課題】
【０００５】
上記従来例によれば、保持部が過電流による熱で軟化し、バネ部材による不勢力により保持部材の周縁部が電池室のエッジ部から速やかに離れ、これに伴い導電部材も電池の＋端子から速やかに離れて過電流が遮断されるようになっていた。
【０００６】
このような過電流防止機構付き商品（例カメラ）における課題としては、バネ部材が導電部材と接続されているため、バネ部材の発熱により本体部材が軟化する可能性があり、また、エッジ部の軟化の状態によっては、導電部材が確実に電池から外れる可能性が低く、エッジ部が軟化したにも関わらず電池が導電部材から外れず、電池の発熱を抑えることができなくなるのであった。
【０００７】
そこで、本発明は、電子部品の故障時に流れる電流による電池の発熱を持続させないように電池箱の電極と電池の端子との間に空間をあけて電路を確実に遮断して、結果として、電子部品、電池等の異常発熱の持続をなくすることができるリモコン装置を提供することを目的とする。
【課題を解決するための手段】
【０００８】
そしてこの目的を達成するために本発明は、赤外線発光部を有する回路基板を装着した上ケースと、前記上ケースと係合して本体を形成する下ケースと、前記赤外線発光部を覆うフィルターと、前記回路基板に電力を供給する電池の側面を前記上ケースに沿わせて収納する電池箱を備え、前記電池箱は、長辺が属する第一面と短辺が属する第二面を有する長方形の枠部を形成して内装する少なくとも二つの電池の電極を前記第二面に接するように並べたリモコン装置であって、前記電極は、前記電池のマイナス極と弾性接触する円錐巻きの第一電極と前記電池のプラス極と接触する平面巻きの第二電極を備え、前記電池を少なくとも二つを挿入した状態で対向する前記第二面間に並行した張力を掛けるように配置するとともに、前記第二面のうち一方は、前記第一電極が接触する部分で熱破壊容易な構造を備えたものであり、これにより、所期の目的を達成するものである。
【発明の効果】
【０００９】
以上のように本発明は、赤外線発光部を有する回路基板を装着した上ケースと、前記上ケースと係合して本体を形成する下ケースと、前記赤外線発光部を覆うフィルターと、前記回路基板に電力を供給する電池の側面を前記上ケースに沿わせて収納する電池箱を備え、前記電池箱は、長辺が属する第一面と短辺が属する第二面を有する長方形の枠部を形成して内装する少なくとも二つの電池の電極を前記第二面に接するように並べたリモコン装置であって、前記電極は、前記電池のマイナス極と弾性接触する円錐巻きの第一電極と前記電池のプラス極と接触する平面巻きの第二電極を備え、前記電池を少なくとも二つを挿入した状態で対向する前記第二面間に並行した張力を掛けるように配置するとともに、前記第二面のうち一方は、前記第一電極が接触する部分で熱破壊容易な構造を備えた構成になっているため、電子部品の故障時に流れる電流による電池の発熱を持続させないように電池箱の電極と電池の端子との間に空間をあけて電路を確実に遮断して、結果として、電子部品、電池等の異常発熱の持続をなくすることができるという効果を奏する。
【図面の簡単な説明】
【００１０】
【図１】実施の形態１のリモコンを前面斜め上から見た外観斜視図
【図２】同上ケース内部の構成を示す図
【図３】同導電部材の図
【図４】同保持部を備えたリモコンの内部の構成を示す図
【図５】同保持部の形状を示す図
【図６】回路基板の構成図
【図７】過電流を遮断する様子を示す図
【発明を実施するための形態】
【００１１】
本発明の請求項１のリモコン装置は、赤外線発光部を有する回路基板を装着した上ケースと、前記上ケースと係合して本体を形成する下ケースと、前記赤外線発光部を覆うフィルターと、前記回路基板に電力を供給する電池の側面を前記上ケースに沿わせて収納する電池箱を備え、前記電池箱は、長辺が属する第一面と短辺が属する第二面を有する長方形の枠部を形成して内装する少なくとも二つの電池の電極を前記第二面に接するように並べたリモコン装置であって、前記電極は、前記電池のマイナス極と弾性接触する円錐巻きの第一電極と前記電池のプラス極と接触する平面巻きの第二電極を備え、前記電池を少なくとも二つを挿入した状態で対向する前記第二面間に並行した張力を掛けるように配置するとともに、前記第二面のうち一方は、前記第一電極が接触する部分で熱破壊容易な構造を備えたリモコン装置。を備えたものである。
【００１２】
これにより、部品の故障による短絡等で電池に過電流が流れた場合に、第一電極を流れる電流による発熱が第二面に伝わり、加熱されることによって軟化して一方の第二面では接続端が外れることとなり、前記第二面の他端は第一面との接続を維持したまま第一電極の弾性によって電池箱の外側へ押されることになる。このとき前記第二面は、他方の第二面から並行した二つの張力を受けていることと、前記肉薄の溝部側が外れることから、肉薄の溝部側の第一電極と電池の一端との距離は、第一電極が復現するストロークよりも大きく確保することができるので、前記第一電極と電池の一端との間に空間をあけることができ電路を確実に遮断することができ、電子部品、電池等の異常発熱の持続をなくすことができる。
【００１３】
また、本発明の請求項２のリモコン装置は、第二面の一端側を電池箱の深さ方向に肉薄の溝部を形成して熱破壊容易な構造とする特徴を有する。
【００１４】
これにより、第二面に発熱が伝わったときに、一端側の肉薄の溝部で容易に外れることとなり、他端側を中心に第二面を回動させやすくなるので、前記第一電極と電池の一端との間に空間をあけることができ電路を確実に遮断することができ、結果として、電子部品、電池等の異常発熱の持続をなくすることができる。
【００１５】
また、本発明の請求項３のリモコン装置は、第二面の肉薄の溝部には、電池のマイナス極と第一電極を配置した構成を有する。
【００１６】
これにより、円錐巻きの第一電極は、平面巻きの第二電極に比べて電池の極との接触抵抗が大きいことから、部品故障による短絡電流が流れたときの発熱が大きくなり、一端側の肉薄の溝部は他端に比べて多く加熱されることとなり軟化による第二面の回動を確実に起こすことができるので、前記第一電極と電池の一端との間に空間をあけることができ電路を確実に遮断することができ、結果として、電子部品、電池等の異常発熱の持続をなくすることができる。
【００１７】
また、本発明の請求項４のリモコン装置は、第二面の外側であって、第一電極に対応した位置に上ケースから起立させて形成した保持壁と熱結合させることを特徴とする特徴を有する。
【００１８】
これにより、一方の第二面と保持壁は加熱され軟化して、第一電極から受ける張力によって回動を起こすが、保持壁によって第二面は支えられているため軟化が進んで第二面と保持壁の一部が溶解をする。このときに溶解した樹脂の収縮による力が保持壁の溶解に至っていない側へ働き前記第二面は第一電極のストロークよりも長い距離を移動させやすくすることができ、前記第一電極と電池の一端との間に空間をあけることができ電路を確実に遮断することができ、結果として、電子部品、電池等の異常発熱の持続をなくすることができる。
【００１９】
また、本発明の請求項５のリモコン装置は、熱破壊構造を有する第二面と保持壁は熱可塑性樹脂で成形した特徴を有する。
【００２０】
これにより、部品故障による短絡電流が流れたときの発熱により加熱された、熱破壊構造を有する第二面と保持壁を容易に軟化させることとなり、加熱により第二面を熱破壊させて、第二面の回動を確実に起こすことができるので、前記第一電極と電池の一端との間に空間をあけることができ電路を確実に遮断することができ、結果として、電子部品、電池等の異常発熱の持続をなくすることができる。
【００２１】
以下、本発明の一実施形態を、添付図面を用いて説明する。
【００２２】
（実施の形態１）
図１〜図７において、図１は、リモコン装置１を前面斜め上から見た外観斜視図である。
【００２３】
図１に示すリモコン装置１は、例えばレンジフード本体を動作させるリモコン装置１である。
【００２４】
リモコン装置１には、レンジフード本体（図示せず）を運転させる運転スイッチ２とレンジフード本体に内蔵している照明の点灯・消灯を制御する照明点灯・消灯スイッチ３を備える構成とする。
【００２５】
リモコン装置１は、図１に示すように上ケース４、下ケース５、赤外フィルター６で構成されている。
【００２６】
また図２に示すように、上ケース４内に回路基板７と電池８を配置する。電池８は、例えば２本を上ケース４に沿わせて並行して配置し、直列に接続する。この場合、電池８を収納する電池箱９は、電池８の大きさに応じた箱になる。例えば単４電池の場合、電池箱９は長辺が属する第一面１０（４６ｍｍ）と短辺が属する第二面１１（２３ｍｍ）の長方形を形成する。
【００２７】
すなわち、リモコン装置１は、回路基板７に電力を供給する電池８の側面を上ケース４に沿わせて収納する電池箱９を備え、電池箱９は、長辺が属する第一面１０と短辺が属する第二面１１を有する長方形の枠部１２を形成したものである。
【００２８】
電池箱９は、内装する電池８を少なくとも二つ、電極を第二面１１に接するように並べるようにしたものである。
【００２９】
また、電池箱９の第二面１１は、レンジフード本体に信号を送る回路基板７と接続する側の回路接続面１４と、２本の電池８を直列に接続する側の直列接続面１５で構成されている。
【００３０】
回路接続面１４は、導電部材１６で構成される円錐巻きバネ１７の第一電極１８と平面巻き１９の第二電極２０を備え、これら電極が回路基板７に接続されている。
【００３１】
そして、前記第二面１１の一方を直列接続面１５として、他方を回路接続面１４としている。
【００３２】
円錐巻きバネ１７が電池８のマイナス側の極、平面巻きバネ１９が電池８のプラス側の極となり、電池８が取出自在に装填され電池８からの供給電力で回路基板７が動作する。
【００３３】
そして、図２に示すように対向する第二面１１の一方の直列接続面１５が第一電極１８と接触する部分に熱破壊容易な構造として肉薄の溝部１３を備えている。
【００３４】
つまり、電池８を少なくとも二つを挿入した状態で対向する第二面１１間に並行した二つの張力を掛けるように配置するとともに、第二面１１の一方である直列接続面１５は、一端側を電池箱９の深さ方向に肉薄の溝部１３を形成し、熱破壊容易な構造とするものである。このようにすることで直列接続面１５の一端側は、他端側に比べて、熱破壊容易な構造となる。
【００３５】
熱破壊を容易に引き起こすためには、第一電極１８が接触する部分として、円錐巻きバネ１７の最外周部分が接触する部分に合わせることが好ましい。なぜなら、電池８に対して、円錐巻きバネ１７側は平面巻きバネ１９側に比べての接触抵抗が高い、第一電極１８側は第二電極２０側に比べて発熱量が大きいと考えているためである。
【００３６】
さらに、肉薄の溝部１３の熱破壊容易な構造を容易にするために電池箱９は、熱可塑性樹脂（例えばＡＢＳ樹脂）で形成されている。特に直列接続面１５を熱可塑性樹脂で形成することが必要である。
【００３７】
電池箱９の長方形の第二面１１の回路接続面１４には、回路に電力を供給するための導電部材１６で構成される円錐巻きバネ１７の第一電極１８と平面巻き１９の第二電極２０が配置され、第二面１１の直列接続面１５には、電池８を直列に接続するための導電部材１６で構成される円錐巻きバネ１７の第一電極１８と平面巻きバネ１９の第二電極２０が配置される。
【００３８】
つまり、導電部材１６は、図３に示すように円錐巻きバネ１７の第一電極１８と平面巻き１９の第二電極２０とを両端に備え、これら第一電極１８と第二電極２０の外周間を直線で接続するリード部を有するものである。そして、リード部は前記枠部１２の開口側になるように配置している。
【００３９】
また、図４に示すように、電池箱９の第二面１１の回路接続面１４と直列接続面１５外側壁には、保持部２１が電池箱９の外壁に垂直に接続され、例えば、装填された電池８の中心になるように保持部２１が形成されている。
【００４０】
保持部２１は、図５のＡ寸法で示すように、電池箱９の外壁よりも約３ｍｍ低く（例えば、電池８が装填されて、円錐巻きバネ１７に弾性力がかかる２段目（矢指）の巻き位置）形成する。また、保持部２１の長さＢ寸法は、電池８が装填されて円錐巻きバネ１７の二段目の長さＬより長く形成される（例えば２段目の円錐巻きバネ１７の長さが５ｍｍ、保持部２１の長さが８．５ｍｍとなる）。
【００４１】
上記構成において、図６〜図７に示すように熱破壊容易な構造を有する肉薄の溝部１３において、電池８に過電流が流れた場合にその過電流を遮断する様子を示す。
【００４２】
図６に示すように回路基板７に実装された電子部品（例えばコンデンサ２２）が、外部からのノイズ（例えば強電界）で誤動作もしくは破壊されることがある。誤動作もしくは破壊された結果がショート状態ならば電池８が短絡状態になる。
【００４３】
図７に示すように、電池８が短絡状態になると急激に電流が電池８のプラス側からマイナス側に５〔Ａ〕〜７〔Ａ〕程度の電流が円錐巻きバネ１７、平面巻き１９を通じて流れる。円錐巻きバネ１７、平面巻きバネ１９に電流が流れると円錐巻きバネ１７、平面巻きバネ１９部分で異常に発熱しＡＢＳ樹脂の耐熱温度７０℃〜１００℃を超える。ＡＢＳ樹脂の融解温度（約１７０℃〜２５０℃）に到達すると、電池箱９の第二面１１の直列接続面１５外側壁と保持部２１が熱膨張を開始する。電池箱９の第二面１１の直列接続面１５外側壁と保持部２１が熱膨張する部分は接触抵抗の大きい−側に集中する。
【００４４】
マイナス極側は、円錐巻きバネ１７になっているため、電池８を入れると常に電池箱９の第二面１１の回路接続面１４と直列接続面１５の内壁に対して、並行に二つの張力を掛けることができる。結果として、第二面１１がＡＢＳ樹脂の融解温度（約１７０℃〜２５０℃）に到達する温度になると円錐巻きバネ１７の弾性力が作用して軟化して熱膨張した直列接続面１５の壁では、肉薄の溝部１３を肉薄に形成していることから他部分よりも先に外れることとなる。
【００４５】
第二面１１は、他方の第二面１１から並行した二つの張力を受けていることと、肉薄の溝部１３側が外れることから、肉薄の溝部１３側の第一電極１８と電池８の一端との距離は、第一電極１８が復現するストロークよりも大きく確保することができるので、第一電極１８と電池８の一端であるマイナス極との間に空間をあけることができ電路を確実に遮断することができ、電子部品、電池等の異常発熱の持続をなくすことができる。
【００４６】
さらに、肉薄の溝部１３が外れると保持部２１側に向けて円錐巻きバネ１７の弾性力が働く。保持部２１側に弾性力が働くと第二面１１の直列接続面１５の平面巻きバネ１９は、接続を維持したまま円錐巻きバネ１７の弾性力によって第二面１１の外側方向へ押されることになる。
【００４７】
マイナス極との距離は、第一電極１８が復現するストロークよりも大きく確保されると、電流を遮断することができる。しかし、電流が遮断されると軟化して熱膨張した直列接続面１５の壁は、温度が下がり収縮を起こすことになる。このとき直列接続面１５の位置が収縮によって不安定な状態になる。
【００４８】
本実施の形態では、直列接続面１５に保持部２１を設けているので、保持部２１の収縮によって、直列接続面１５を外側へ引き寄せることができ前記第一電極１８と電池８の一端との間に空間を安定して確保することができる。つまり、収縮時に電池８のマイナス極側と円錐巻きバネ１７が再び接触することはなくなる。
【００４９】
以上のごとく、本実施形態においては、リモコン装置１に実装された電子部品の不具合等により、過電流が回路基板７と円錐巻きバネ１７をかえして電池８に流れた場合、熱破壊容易な構造の肉薄の溝部１３を備えたことによって円錐巻きバネ１７が電池８のマイナス極側から離されて過電流が遮断される。
【００５０】
従って、過電流が初期の段階で効率よく検出され、その後過電流防止されて電池８の発熱を抑えることができる。
【００５１】
なお、本実施の形態では図２に示すように対向する第二面１１の一方の直列接続面１５が第一電極１８と接触する部分に熱破壊容易な構造として肉薄の溝部１３を備えた例を説明したが、回路接続面１４側に熱破壊容易な構造として肉薄の溝部１３を備えても良い。
【産業上の利用可能性】
【００５２】
以上のように本発明は、過電流を初期段階で効率良く検出して過電流を初期の段階で効率良く検出してその過電流を防止することができるようになる。
【００５３】
したがって、リモコンの過電流防止機能として活用が期待されるものとなる。
【符号の説明】
【００５４】
１  リモコン装置
２  運転スイッチ
３  照明点灯・消灯スイッチ
４  上ケース
５  下ケース
６  赤外フィルター
７  回路基板
８  電池
９  電池箱
１０  第一面
１１  第二面
１２  枠部
１３  肉薄の溝部
１４  回路接続面
１５  直列接続面
１６  導電部材
１７  円錐巻きバネ
１８  第一電極
１９  平面巻きバネ
２０  第二電極
２１  保持部
２２  コンデンサ
【図１】
2015226332.tif 000003
【図２】
2015226332.tif 000004
【図３】
2015226332.tif 000005
【図４】
2015226332.tif 000006
【図５】
2015226332.tif 000007
【図６】
2015226332.tif 000008
【図７】
2015226332.tif 000009